(57)【要約】【課題】被搬送物を静止状態のままでこぼれることなく搬送し、排出することができるバケットコンベアにおけるバケットを提供すること。【解決手段】本バケット４０は、バケット移動方向に傾斜し、かつ被搬送物が収納される傾斜状ポケット部４１を形成する底板部４２、一対の側板部４３及び高さの異なる両端の側板部４４、４５を含み、前記一端の傾斜状側板部４４は、一対の側板部４３の高さよりもやや低くて、底板部４２の一端から鋭角状に傾斜して延設され、かつ上端長手方向外側にはやや下向き傾斜状の連結鍔部５０が形成され、前記他端の側板部４５は底板部４２の他端から垂直に起立した垂直板部５１と、該垂直板部５１と連なり、かつ前記傾斜状側板部４４と平行で、該傾斜状側板部４４よりも低い傾斜状板部５２から形成されている。【選択図】        図７
2004269171.tif 000002
【特許請求の範囲】
【請求項１】
多数のバケット（４０）が無端状チェーン（２４）に連結され、かつ鎖車（１９）、（１７）間に張設されて、前記チェーン（２４）が前記鎖車（１９）、（１７）の回転を介してケーシング（１０）内を移動し、前記各バケット（４０）内に収納された被搬送物が搬送されるバケットコンベアにおいて、
前記各バケット（４０）は、バケット移動方向に傾斜し、かつ被搬送物が収納される傾斜状ポケット部（４１）を形成する底板部（４２）、一対の側板部（４３）、（４３）及び高さの異なる両端の側板部（４４）、（４５）を含み、
前記一対の側板部（４３）、（４３）は、前記底板部（４２）の一端から鋭角状に傾斜して延びた傾斜辺部（４６）と、前記底板部（４２）の他端から垂直に起立した垂直辺部（４７）と、該垂直辺部（４７）と連なり前記傾斜辺部（４６）と平行に延びた傾斜辺部（４８）と、該傾斜辺部（４８）と前記傾斜辺部（４６）とに連なる前記底板部（４２）と平行な水平辺部（４９）から形成され、
前記一端の傾斜状側板部（４４）は、前記一対の側板部（４３）、（４３）の高さよりもやや低く、かつ上端長手方向外側にはやや下向き傾斜状の連結鍔部（５０）が形成され、
前記他端の側板部（４５）は、前記垂直辺部（４７）に連なる垂直板部（５１）と、該垂直板部（５１）と連なり、かつ前記傾斜状側板部（４４）と平行で、該傾斜状側板部（４４）よりも低い傾斜状板部（５２）から形成され、
前記他端の側板部（４５）における前記傾斜状板部（５２）の上端長手方向に、該バケット（４０）の一方側に隣接する他のバケット（４０）の前記傾斜状の連結鍔部（５０）が重ね連結されることにより、各バケット（４０）は隙間のない一体的な水平状態で連結され、かつ前記傾斜状ポケット部（４１）と前記連結鍔部（５０）により被搬送物が静止状態のままででこぼれることなく搬送される構成を特徴とするバケットコンベアにおけるバケットの構造。
【請求項２】
前記底板部（４２）の一端から鋭角状に延びている傾斜辺部（４６）の傾斜角度が約５３度であることを特徴とする請求項１のバケットコンベアにおけるバケットの構造。
【請求項３】
前記一対の側板部（４３）、（４３）における前記連結鍔部（５０）側に、該連結鍔部（５０）と連なり、かつバケット（４０）の連結時において、隣接する他のバケット（４０）における前記一対の側板部（４３）、（４３）の内側にそれぞれ挿入される挿入連結片部（５３）、（５３）が僅かな内側折曲部を介してやや下向き傾斜状に形成されている構成を特徴とする請求項１のバケットコンベアにおけるバケットの構造。
【請求項４】
前記底板部（４２）が開閉可能となっている構成を特徴とする請求項１のバケットコンベアにおけるバケットの構造。
【発明の詳細な説明】
【０００１】
【発明の属する技術分野】
本発明は、粉体、固形物を搬送するバケットコンベアにおけるバケットの構造に関するものである。
【０００２】
【従来の技術】
多数のバケットがチェーンを介して無端状に連結されるとともにスプロケットによって張設され、スプロケットを駆動部で回転させることによりバケットを周回移動させてバケットに積載された被搬送物を搬送するバケットコンベア装置において、従来のバケットは、両端部に円弧状連結部が形成され、かつ隣接するバケットの円弧状連結部同志が互いに摺動自在に連結されることにより、連結された各バケットはその連結部を中心軸として連結角度が可変される構造のものであった（例えば、特開２００２−３０２２２６公報参照）。
【０００３】
【発明が解決しようとする課題】
ところで、この従来のバケットは、両端部長手方向に円弧状連結部が形成されているものの、被搬送物が収納されるポケット部は、普通の上向き略コ字形状であるため、水平ラインにおいてはポケット部より被搬送物はこぼれ落ちないものの、中間の上昇ラインにおいては、被搬送物の荷重はバケット移動方向とは逆方向にかかるためにポケット部より外部にこぼれ落ちて、これがチェーンを構成するローラリンクプレートの間や、ピンリンクプレートの間等に入り込んで残留し、この残留した被搬送物が腐敗したり、又虫がわいたりする等の問題点があって、食品関係の粉体や固形物を搬送するバケットとしては不適であった。
【０００４】
本発明は、このような従来の問題点を解決するためになされたもので、その目的とするところは、粉体や固形物等の被搬送物を静止状態のままでこぼれることなく搬送し、排出することができるバケットコンベアにおけるバケットを提供することにある。
【０００５】
又、本発明のもう一つの目的は、被搬送物の残留をなくして、食品関係の被搬送物の搬送に好適なバケットコンベアにおけるバケットを提供することにある。
【０００６】
【課題を解決するための手段】
これらの目的のため、本発明の請求項１に記載のバケットコンベアにおけるバケットの構造は、多数のバケット４０が無端チェーン２４に連結され、かつ鎖車１９、１７間に張設されて、前記チェーン２４が前記鎖車１９、１７の回転を介してケーシング１０内を移動し、前記各バケット４０内に収納された被搬送物が搬送されるバケットコンベアにおいて、前記各バケット４０は、バケット移動方向に傾斜し、かつ被搬送物が収納される傾斜状ポケット部４１を形成する底板部４２、一対の側板部４３、４３及び高さの異なる両端の側板部４４、４５を含み、前記一対の側板部４３、４３は、前記底板部４２の一端から鋭角状に傾斜して延びた傾斜辺部４６と、前記底板部４２の他端から垂直に起立した垂直辺部４７と、該垂直辺部４７と連なり前記傾斜辺部４６と平行に延びた傾斜辺部４８と、該傾斜辺部４８と前記傾斜辺部４６とに連なる前記底板部４２と平行な水平辺部４９から形成され、前記一端の傾斜状側板部４４は、前記一対の側板部４３、４３の高さよりもやや低く、かつ上端長手方向外側にはやや下向き傾斜状の連結鍔部５０が形成され、前記他端の側板部４５は、前記垂直辺部４７に連なる垂直板部５１と、該垂直板部５１と連なり、かつ前記傾斜状側板部４４と平行で、該傾斜状側板部４４よりも低い傾斜状板部５２から形成され、前記他端の側板部４５における前記傾斜状板部５２の上端長手方向に、該バケット４０の一方側に隣接する他のバケット４０の前記傾斜状の連結鍔部５０が重ね連結されることにより、各バケット４０は隙間のない一体的な水平状態で連結され、かつ前記傾斜状ポケット部４１と前記連結鍔部５０により被搬送物が静止状態のままでこぼれることなく搬送される構成を特徴とするものである。
【０００７】
本発明の請求項２に記載のバケットコンベアにおけるバケットの構造は、前記底板部４２の一端から鋭角状に延びている傾斜辺部４６の傾斜角度が約５３度であることを特徴とするものである。
【０００８】
本発明の請求項３に記載のバケットコンベアにおけるバケットの構造は、前記一対の側板部４３、４３における前記連結鍔部５０側に、該連結鍔部５０と連なり、かつバケット４０の連結時において、隣接する他のバケット４０における前記一対の側板部４３、４３の内側にそれぞれ挿入される挿入連結片部５３、５３が僅かな内側折曲部を介してやや下向き傾斜状に形成されている構成を特徴とするものである。
【０００９】
本発明の請求項４に記載のバケットコンベアにおけるバケットの構造は、前記底板部４２が開閉可能となっている構成を特徴とするものである。
【００１０】
【発明の実施の形態】
本発明の実施の形態について図面を参照し、その作用と共に説明する。
【００１１】
図１は本発明に係るバケットが装着されたバケットコンベアの一例を示す一部省略の線図的説明図、図２は図１の部分拡大縦断面図、図３は図１におけるバケットの連結状態を示す一部省略の拡大平面図、図４は図３の側面図、図５は本発明に係るバケットの一例を示す一部省略の正面図、図６は図５の側面図、図７は図５の７−７線に沿った断面図、図８はバケットの他例を示す断面図である。
【００１２】
先ず、本発明に係るバケットが装着されたバケットコンベアの一例の概要を図１から図４を参照して説明する。
【００１３】
図１において、循環搬出ラインを形成する密閉ケーシング１０は、下部ケーシング１１、中間ケーシング１２及び上部ケーシング１３から構成され、これらケーシング１１、１２、１３は上下部の円弧状ケーシング１４、１５を介して一体的に連結されている。
【００１４】
下部ケーシング１１は、被搬送物の投入口１６を有し、かつ内部後端寄りには、従動鎖車１７が軸支されている。
【００１５】
上部ケーシング１３は、前方下端に被搬送物の排出口１８を有し、かつ内部前方寄りには、駆動鎖車１９が軸支され、該駆動鎖車１９は、上部梁２０に設置された駆動モータ２１の出力軸に連結のプーリ２２に二点鎖線に示されたベルト２３を介して連結されている。
【００１６】
駆動鎖車１９と従動鎖車１７間にはチェーン２４が無端状に張架され、該チェーン２４には、本発明に係るバケット４０が多数装着連結されている。
【００１７】
チェーン２４は、内側に対向して配設された一対のローラリンクプレート２５、２５と、このローラリンクプレート２５、２５の両外側に互いに対向して配設された一対のピンリンクプレート２６、２６と、これらリンクプレートの連結部にピン２７により回転自在に軸支されたローラ２８から構成されている。
【００１８】
そして、チェーン２４は、上記したように、駆動鎖車１９と従動鎖車１７間に無端状に張架されてケーシング１０内の上部と下部に配設されるとともに、駆動モータ２１の駆動力で駆動鎖車１９が回転することにより、上下部の左右両内側の長手方向に設けられた基板２９上のガイドレール３０上をローラ２８が走行することにより、ケーシング１０内を循環移動するようになっている。
【００１９】
チェーン２４の移動につれて投入口１６よりチェーン２４に連結のバケット４０、４０…に収納された被搬送物は、下部ケーシング１１から下部の円弧状ケーシング１５、中間ケーシング１２、上部の円弧状ケーシング１４を通って上部ケーシング１３に移送され、上部位置でバケット４０の反転による重力作用で排出口１８から排出されるようになっている。
【００２０】
このような構成に係るバケットコンベアに装着される本バケット４０の一例について、図５から図７を参照して説明する。
【００２１】
本バケット４０は、金属製であって、例えば鉄板によって構成されている。
【００２２】
バケット４０は、被搬送物が収納されるところのバケット移動方向に傾斜した傾斜状ポケット部４１を形成する平面視矩形状の底板部４２、一対の側板部４３、４３及び高さの異なる両端の側板部４４、４５を含んでいる。
【００２３】
一対の側板部４３、４３は、底板部４２の一端から鋭角状（約５３度）に傾斜して延びた傾斜辺部４６と、底板部４２の他端から垂直に起立した垂直辺部４７と、垂直辺部４７と連なり傾斜辺部４６と平行に延びた傾斜辺部４８と、該傾斜辺部４８と傾斜辺部４６とに連なる底板部４２と平行な水平辺部４９から形成されている。
【００２４】
一端の傾斜状側板部４４は、一対の側板部４３、４３の高さよりもやや低く、かつ上端長手方向外側にはやや下向き傾斜状の連結鍔部５０が形成され、又、他端の側板部４５は、垂直辺部４７に連なる垂直板部５１と、該垂直板部５１と連なり、かつ傾斜状側板部４６と平行で、該傾斜状側板部４６よりも低い傾斜状板部５２から形成されている。
【００２５】
又、一対の側板部４３、４３における連結鍔部５０側には、該連結鍔部５０と連なり、かつバケットの連結時において、一方側のバケット４０に隣接する他のバケット４０の一対の側板部４３、４３の内側にそれぞれ挿入される略方形状の挿入連結片部５３、５３が僅かな内側折曲部を介してやや下向き傾斜状に形成されている。
【００２６】
一対の側板部４３、４３の外面下部に、該バケット４０をチェーン２４のリンクプレート２５、２６に固着するための矩形状連結板５４、５４，５５、５５が溶着され、これら連結板５４、５４，５５、５５には側板部４３、４３を貫通して前後２つのボルト穴５６、５６が明けられている。
【００２７】
連結板５４、５４，５５、５５の内一方の連結板５４、５４はバケット４０をチェーン２４における内側のローラリンクプレート２５にボルト５７、ナット５８をもって固着するためであり、他の連結板５５、５５はバケット４０を外側のピンリンクプレート２６に同様に固着するためで、連結板５４、５４の厚さの約半分の厚さとなっている。
【００２８】
そして、バケット４０、４０…は、図３及び図４に示されているように、連結鍔部５０の長手方向をバケット移動方向に向けて、傾斜状ポケット部４１の長手方向をバケット移動方向に対して直交方向に向けた状態で両側部が連結板５４、５５を介してボルト５７、ナット５８によりチェーン２４のリンクプレート２５、２６に固着されている。
【００２９】
このようにして固着された第１のバケット４０の次に隣接する第２のバケット４０は、左右の連結片部５３、５３が第１のバケット４０における左右一対の側板部４３、４３の内側に挿入されて、第２のバケット４０における連結鍔部５０の長手方向が第１のバケット４０における傾斜状板部５２の端部長手方向上に重った状態で連結され、第１のバケット４０と同様にリンクプレートに固着される。
【００３０】
すると、第２のバケット４０における左右の連結片部５３、５３の僅かな内側折曲部と第１のバケット４０における左右一対の側板部４３、４３の端面が当接して、連結された多数のバケット４０、４０…は、各傾斜状ポケット部４１のバケット移動方向の前後長手方向に連結鍔部５０、５０を有した状態となり、かつ各連結部には間隙がなく、全体として連続一体的なバケット群が形成される。
【００３１】
この状態において、駆動モータ２１の駆動によりチェーン２４を介して回転移動している各バケット４０の傾斜状ポケット部４１に、連続的に投入口１６に投入される被搬送物が収納されると、被搬送物はバケット移動方向に傾斜した傾斜状ポケット部４１と、連結された隣接のバケット４０のやや下向き傾斜状の連結鍔部５０の作用により静止状態のままでこぼれ落ちるこなく、搬送ラインを搬送されて排出口１８から排出される。
【００３２】
このように、本実施例に係るバケット４０によれば、水平ラインにおいては勿論のこと、中間の上昇ラインにおいても、被搬送物のバケット移動方向と逆方向にかかる荷重の度合いは、底板部４２、バケット移動方向に傾斜した傾斜状側板部４４と傾斜状板部５２及び垂直板部５１、一対の側板部４３、４３により形成の傾斜状ポケット部４１の作用によって弱められ、上昇ラインにおいても被搬送物は静止状態のままでこぼれ落ちることなく搬送される。
【００３３】
本発明に係るバケット４０の変形は可能であり、図８に本発明に係るバケットの変形態様が示されている。
【００３４】
本例は、図１に例示された循環搬出ラインにおいて、被搬送物の排出を上部ケーシング１３の排出口１８からではなく、例えば上部ケーシング１３の途中において被搬送物を排出する場合に好適なバケットである。
【００３５】
図８において、本バケット４０は、底板部４２の一端長手方向基部が一端の傾斜状側板部４４の長手方向基部にヒンジ５９等により開閉可能に枢着されるとともに、底板部４２上の垂直板部５１側寄りの両端部と一対の側板部又は垂直板部に設けられた両端スプリング掛け６０の間には、底板部４２を閉塞方向に付勢するスプリング６１が設けられ、更に底板部４２の下面適所にマグネット６２が固着されている。
【００３６】
一方、循環搬出ラインにおけるバケット移動方向の下方には、バケットが被搬送物の中間排出位置に来た時に、自動制御により通電されて、マグネット６２との間において生じた磁界によりマグネット６２が下方に吸引される排出機構６３が設けられ、該排出機構６３によりマグネット６２がスプリング６１の弾力に抗して下方に吸引され、底板部４２はヒンジ５９を支点として下方に開かれ、被搬送物は所定の中間位置において排出される。
【００３７】
被搬送物の排出されたバケットが移動して磁界の作用を受けなくなると、底板部４２はスプリング６１の復帰力によって元に戻り、閉塞状態となる。
【００３８】
【発明の効果】
以上説明したように、請求項１、２に記載の発明によれば、バケット移動方向に傾斜し、かつ被搬送物が収納される傾斜状ポケット部を形成する底板部、一対の側板部及び高さの異なる両端の側板部を含み、一対の側板部は、底板部の一端から鋭角状に、好ましくは約５３度の角度で傾斜して延びた傾斜辺部と、底板部の他端から垂直に起立した垂直辺部と、該垂直辺部と連なり傾斜辺部と平行に延びた傾斜辺部と、該傾斜辺部と傾斜辺部とに連なる底板部と平行な水平辺部から形成され、一端の傾斜状側板部は、一対の側板部の高さよりもやや低く、かつ上端長手方向外側にはやや下向き傾斜状の連結鍔部が形成され、他端の側板部は、垂直辺部に連なる垂直板部と、該垂直板部と連なり、かつ傾斜状側板部と平行で、該傾斜状側板部よりも低い傾斜状板部から形成されているから、多数のバケットを相互に連結する場合においては、他端の側板部における傾斜状板部の上端長手方向に、該バケットの一方側に隣接する他のバケットの傾斜状の連結鍔部が重ね連結されることにより、連結された多数のバケットは、各傾斜状ポケット部のバケット移動方向の前後長手方向に連結鍔部を有した状態となり、かつ各連結部には間隙がなく、全体として連続した一体的なバケット群が形成されるので、各バケットの傾斜状ポケット部と連結鍔部により被搬送物は静止状態のままでこぼれ落ちることなく循環排出ラインにおける排出口まで搬送されて排出される。
【００３９】
したがって、被搬送物がケーシング内に残留して、腐敗したり、虫がわいたりする等の従来の問題点は解消され、食品関係の粉体や固形物を搬送するバケットコンベアに用いるに好適である。
【００４０】
又、請求項３に記載の発明によれば、一対の側板部における連結鍔部側に、該連結鍔部と連なり、かつバケットの連結時において、隣接する他のバケットにおける一対の側板部の内側にそれぞれ挿入される挿入連結片部が僅かな内側折曲部を介してやや下向き傾斜状に形成されているから、バケットの連結時において、一方側のバケットの左右一対の側板部の端面と、一方側に隣接する他のバケットにおける左右の挿入された連結片部の僅かな内側折曲部とが当接して、更に間隙のない一体的な連続したバケット群が形成され、被搬送物は静止状態のままでこぼれ落ちることなく循環排出ラインにおける排出口まで搬送されて排出される。
【００４１】
又、請求項４に記載の発明によれば、被搬送物は静止状態のままでこぼれ落ちることなく搬送されて、所望する中間位置において排出される。
【図面の簡単な説明】
【図１】本発明に係るバケットが装着されたバケットコンベアの一例を示す一部省略の線図的説明図である。
【図２】図１の部分拡大縦断面図である。
【図３】図１におけるバケットの連結状態を示す一部省略の拡大平面図である。
【図４】図３の側面図である。
【図５】本発明に係るバケットの一例を示す一部省略の正面図である。
【図６】図５の側面図である。
【図７】図５の７−７線に沿った断面図である。
【図８】バケットの他例を示す断面図である。
【符号の説明】
１０    ケーシング
１７    従動鎖車
１９    駆動鎖車
２４    チェーン
４０    本発明バケット
４１    傾斜状ポケット部
４２    底板部
４３、４３    一対の側板部
４４、４５    高さの異なる側板部
４６、４８    傾斜辺部
４７    垂直辺部
４９    水平辺部
５０    傾斜状連結鍔部
５１    垂直板部
５２    傾斜状板部
５３    挿入連結片部
５４、５５    連結板
５６    ボルト穴
５９    ヒンジ
６１    スプリング
６２    マグネット
６３    排出機構
【図１】
2004269171.tif 000003
【図２】
2004269171.tif 000004
【図３】
2004269171.tif 000005
【図４】
2004269171.tif 000006
【図５】
2004269171.tif 000007
【図６】
2004269171.tif 000008
【図７】
2004269171.tif 000009
【図８】
2004269171.tif 000010